(57)【要約】【課題】ベールレス型のロータを有するスピニングリールにおいて、キャスティング時のロータの回転を可及的に抑える。【解決手段】スピニングリールのロータ回転規制機構４０は、スピニングリールのリール本体に回転自在に装着されたベールレス型のロータの回転をリール本体に対して２箇所の回転位相で規制する装置であって、連動機構６１と、回転規制部６２とを備えている。連動機構は、ロータアームに設けられ釣り糸案内部の揺動に連動して糸巻取姿勢に対応する第１位置と糸開放姿勢に対応し第１位置よりリール本体に近接した第２位置との間で移動する機構である。回転規制部は、リール本体に設けられ、連動機構が第２位置に配置されたとき連動機構にロータの複数の回転位相で接触してロータの少なくとも一方向の回転を規制するものである。【選択図】      図１１
2004236563.tif 000002
【特許請求の範囲】
【請求項１】
スピニングリールのリール本体に回転自在に装着され、前方に延びるひとつのロータアームと前記ロータアームの先端に糸開放姿勢と糸巻取姿勢とに揺動自在に装着され釣り糸をスプールに案内する釣り糸案内部とを含むロータにおいて、前記釣り糸案内部が前記糸開放姿勢に配置されているとき、前記リール本体に対して複数の回転位相で前記ロータの回転を規制するスピニングリールのロータ回転規制装置であって、
前記ロータアームに設けられ前記釣り糸案内部の揺動に連動して前記糸巻取姿勢に対応する第１位置と前記糸開放姿勢に対応し前記第１位置より前記リール本体に近接した第２位置との間で移動する連動機構と、
前記リール本体に設けられ、前記連動機構が第２位置に配置されたとき前記連動機構に前記ロータの複数の回転位相で接触して前記ロータの少なくとも一方向回転を規制する回転規制部と、
を備えたスピニングリールのロータ回転規制装置。
【請求項２】
前記回転規制部は、前記リール本体の前記ロータと対向する面に突出して設けられ、前記第２位置に配置された前記連動機構に接触する複数の突起部を有する、請求項１に記載のスピニングリールのロータ回転規制装置。
【請求項３】
前記スピニングリールは、前記ロータの糸繰り出し方向の回転を禁止・解除する逆転防止機構を有し、
前記回転規制部は、前記ロータが糸巻取方向に回転したとき前記連動機構に接触して前記ロータの糸巻取方向の回転を規制する、請求項１又は２に記載のスピニングリールのロータ回転規制装置。
【請求項４】
前記連動機構は、
前端部が前記釣り糸案内部に係止され途中が前記ロータアームに揺動自在に装着され、前記釣り糸案内部を前記糸案内姿勢と前記糸開放姿勢とに振り分けて付勢するトグルばね機構と、
前記ロータ本体の後面部に前記ロータの回転軸芯と実質的に平行な軸回りに前記第１位置と前記第２位置との間で揺動自在に設けられ、基端が前記トグルばね機構の後端部に係合しかつ前記第２位置にあるとき先端が前記回転規制部に接触する揺動部材とを有する、請求項１から３のいずれかに記載のスピニングリールのロータ回転規制装置。
【請求項５】
前記釣り糸案内部は、前記ロータアームの先端に揺動自在に装着された支持部材と、前記支持部材の先端に回転自在に装着された釣り糸案内用のラインローラとを有し、
前記トグルばね機構は、前記支持部材に係止されている、請求項４に記載のスピニングリールのロータ回転規制装置。
【発明の詳細な説明】
【０００１】
【発明の属する技術分野】
本発明は、ロータ回転規制装置、特に、スピニングリールのリール本体に回転自在に装着され、前方に延びるロータアームと、ロータアームの先端にのみ糸開放姿勢と糸巻取姿勢とに揺動自在に装着され釣り糸をスプールに案内する釣り糸案内部とを含むロータにおいて、釣り糸案内部が糸開放姿勢に配置されているとき、リール本体に対して複数の回転位相で前記ロータの回転位相を規制するスピニングリールのロータ回転規制装置に関する。
【０００２】
【従来の技術】
スピニングリールのロータとして、ひとつのロータアームにのみ釣り糸案内部を有する、いわゆるベールレス型のロータが知られている（たとえば、特許文献１及び非特許文献１参照。）。ベールレス型のロータを有するスピニングリールは、軽量化を図りやすいので、特に遠投に使用される投げ釣り用のスピニングリールとして好適である。
【０００３】
従来のベールレス型のスピニングリールのロータは、第１及び第２ロータアームを有するロータ本体と、第１ロータアームの先端に糸巻取姿勢と糸開放姿勢とに揺動自在に装着された釣り糸案内部とを有している。釣り糸案内部は、第１ロータアームの糸開放姿勢（特許文献１の状態）と糸巻取姿勢（非特許文献１の状態）とに揺動自在に装着された支持部材と、固定軸と、ラインローラと、固定軸カバーとを備えている。固定軸は、支持部材の先端に基端が装着されたものである。ラインローラは、固定軸に回転自在に装着され釣り糸を案内可能なものである。固定軸カバーは、先端に向けて先細りに形成されており、固定軸の軸芯と同方向に延びている。
【０００４】
このような構成のベールレス型のロータを有するスピニングリールでは、キャスティング時には、釣り糸案内部を操作しやすい所望の回転位相に回した後、釣り糸案内部を持って糸開放姿勢に揺動させる。たとえば、右手で釣り竿を持つときには釣り竿側から見て左側の所望の回転位相に釣り糸案内部を配置し、左手で釣り竿を持つときには右側の所望の回転位相に配置する。そして、釣り竿を持つ手の人差し指の腹で釣り糸をすくい、キャスティングを行う。キャスティングを終わると、釣り竿を持つ手と逆の手の指で釣り糸案内部をつまんで糸巻取姿勢側に戻した後、その手で釣り糸をつまんでラインローラに引っ掛ける。このようにベールレス型のロータを有するスピニングリールでは、釣り竿を持つ手に応じて所望の回転位相が左右に異なることになる。
【０００５】
【特許文献１】
意匠登録第５６８５２８号公報
【０００６】
【非特許文献１】
ダイワ精工株式会社発行、１９８２年度ダイワ総合カタログ（Ｐ．２０−２１）
【０００７】
【発明が解決しようとする課題】
このような構成のベールレスのロータを有するスピニングリールでは、キャスティング後にキャスティング時の慣性力の作用によりロータが回転してしまうことがある。ロータが回転すると、釣り糸案内部がキャスティング前の所望の回転位相からずれてしまう。このため、キャスティング後に手で釣り糸をつまんで釣り糸案内部に引っ掛けるとき、釣り糸を釣り糸案内部に引っ掛けにくくなる。従って、キャスティング時にロータが回転すると、釣り糸案内部がもとの回転位相に配置されるようにロータを再度回す必要が生じ、釣り糸を釣り糸案内部に引っ掛ける操作が煩雑になる。
【０００８】
本発明の課題は、ひとつのロータアームにのみ釣り糸案内部が設けられたスピニングリールのロータにおいて、キャスティング時のロータの回転を可及的に抑えることにある。
【０００９】
【課題を解決するための手段】
発明１に係るスピニングリールのロータ回転規制装置は、スピニングリールのリール本体に回転自在に装着され、前方に延びるひとつのロータアームとロータアームの先端に糸開放姿勢と糸巻取姿勢とに揺動自在に装着され釣り糸をスプールに案内する釣り糸案内部とを含むロータにおいて、釣り糸案内部が糸開放姿勢に配置されているとき、リール本体に対して複数の回転位相でロータの回転を規制する装置であって、連動機構と、回転規制部とを備えている。連動機構は、ロータアームに設けられ釣り糸案内部の揺動に連動して糸巻取姿勢に対応する第１位置と糸開放姿勢に対応し第１位置よりリール本体に近接した第２位置との間で移動する機構である。回転規制部は、リール本体に設けられ、連動機構が第２位置に配置されたとき連動機構にロータの複数の回転位相で接触してロータの少なくとも一方向の回転を規制するものである。
【００１０】
このロータ回転規制装置では、釣り糸案内部を糸開放姿勢に揺動させると連動機構が第１位置からリール本体に近接した第２位置に移動する。そしてロータを複数の回転位相のいずれかに回転させると、第２位置に移動した連動機構が回転規制部に接触してロータの少なくとも一方向の回転が規制される。ここでは、第２位置に移動した連動機構が複数の回転位相で回転規制部に接触することによりロータの少なくとも一方向の回転を規制しているので、ロータを複数の回転位相のいずれかに配置すればキャスティング時のロータの回転を可及的に抑えることができる。
【００１１】
発明２に係るスピニングリールのロータは、発明１に記載のロータにおいて、回転規制部は、リール本体のロータと対向する面に突出して設けられ、第２位置に配置された連動機構に接触する複数の突起部を有する。この場合には、リール本体に突起部を設けるだけで回転規制部を構成できるので、回転規制部の構成が容易になる。
【００１２】
発明３に係るスピニングリールのロータは、発明１又は２に記載のロータにおいて、スピニングリールは、ロータの糸繰り出し方向の回転を禁止・解除する逆転防止機構を有し、回転規制部は、ロータが糸巻取方向に回転したとき連動機構に接触して前記ロータの糸巻取方向の回転を規制する。この場合には、通常のスピニングリールに設けられているロータの逆転（糸繰り出し方向の回転）を防止する逆転禁止機構を用いて糸繰り出し方向の回転を禁止できるとともに回転規制部により糸巻取方向の回転を規制できるので、ロータを逆転禁止状態にしてロータを糸巻取方向に回して所望の回転位相に合わせることによりロータの両方向の回転を規制することができる。
【００１３】
発明４に係るスピニングリールのロータ回転規制装置は、発明１から３のいずれかに記載の装置において、連動機構は、前端部が釣り糸案内部に係止され途中がロータアームに揺動自在に装着され、釣り糸案内部を糸案内姿勢と糸開放姿勢とに振り分けて付勢するトグルばね機構と、ロータ本体の後面部に前記ロータの回転軸芯と実質的に平行な軸回りに第１位置と第２位置との間で揺動自在に設けられ、基端が前記トグルばね機構の後端部に係合しかつ前記第２位置にあるとき先端が回転規制部に接触する揺動部材とを有する。この場合には、第２位置にある揺動部材を回転規制部に接触させることでロータの回転を簡素な構成で規制できる。
【００１４】
【発明の実施の形態】
図１から図３において、本発明の一実施形態によるスピニングリールは、ハンドル１を有し、釣り竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１５】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１及び第２蓋部１１，１２と、筐体部１０に一体形成された竿取付部１３と、筐体部１０及び両蓋部１１，１２を後方から覆うカバー部材１４とを有している。
【００１６】
筐体部１０は、たとえば表面に陽極酸化被膜が形成されたマグネシウム合金製の軽量かつ比強度を維持可能な部材であり、ロータ駆動機構５やオシレーティング機構６を収納支持するための収納空間１０ａを形成し得る両面が開口した枠状の部材である。筐体部１０は、奥行き（図３紙面直交方向）がほぼ同じ寸法で形成されたものである。筐体部１０の前面には、逆転防止機構のワンウェイクラッチ（後述）やピニオンギア（後述）などが装着される円板状の機構支持部１０ｂが形成されている。後部には、逆転防止機構の切換操作部（後述）が支持される操作支持部１０ｃが形成されている。また、機構支持部１０ｂの後方には、ピニオンギア及び切換操作部を支持するための中間支持部１０ｄが上部から下方に向けて延びている。
【００１７】
第１蓋部１１は、比強度及び耐食性を高く維持可能なアルミニウム合金製の部材であり、筐体部１０の一面を覆うように形成されている。第１蓋部１１は、図２に示すように、マスターギア７に近接して配置されている。第１蓋部１１は、図１及び図４から明らかなように、筐体部１０の一面側の開口のうち、ハンドル１の回転により回転するマスターギア７を覆う第１カバー部１１ａと、第１カバー部１１ａから後方（図１に破線で示した部分より後方）の開口が露出する第２切欠き部１１ｂとを有している。このような第２切欠き部１１ｂを設けたのは、第１蓋部１１とカバー部材１４との重複部分を可及的に少なくして軽量化を図るためである。
【００１８】
また、第１蓋部１１には、図２及び図４に示すように、マスターギア７が設けられたマスターギア軸８の一端をマスターギア７の背面側で支持する第１ボス部１１ｃが壁面の略中央部分に外方に突出して形成されている。また、第１蓋部１１の前部には、ロータ３の内部に入り込む円板部を構成する略半円形の第１フランジ部１１ｄが形成されている。第１フランジ部１１ｄの前部には、機構支持部１０ｂの後面に配置され機構支持部１０ｂの外周面と略面一に構成される略半円弧状の第１機構収納カバー１１ｅが形成されている。第１蓋部１１にはマスターギア７が近接して配置されているため、マスターギア軸８に大きな負荷が作用したとき、第１ボス部１１ｃには大きな力が作用しやすい。そこで、第１蓋部１１は比強度を高く維持するために金属製にしてある。第１蓋部１１の前下部には、カバー部材１４を装着するとともに、洗浄時の水抜きやグリースの充填などのメンテナンスを行うための第１ねじ孔１１ｆが形成されている。
【００１９】
第２蓋部１２は、第１蓋部１１と略対称な鏡像関係の形状であり、第２カバー部１２ａ、第２切欠き部１２ｂ、第２ボス部１２ｃ、第１フランジ部１１ｄと略鏡像関係の形状の第２フランジ部１２ｄ、及び機構収納カバー１２ｅが形成されている。また第２ねじ孔１２ｆ（図２）も第１ねじ孔１１ｆと対向する位置に形成されている。第１及び第２フランジ部１１ｄ，１２ｄは、筐体部１０の機構支持部１０ｂ後面の外周面とで円形を構成するように形成されている。この円形部分がロータ３の後面に僅かな隙間ではまり込むように構成されている。第２蓋部１２はマスターギア７から比較的遠くに配置されているため、第２ボス部１２ｃには大きな力は作用しにくい。したがって、軽量化を図るために、たとえばナイロン６６などの合成樹脂製としている。第２ボス部１２ｃは、マスターギア軸８の他端を支持するために第２蓋部１２の壁面の第１ボス部１１ｃと対向する略中央部分に外方に突出して形成されている。
【００２０】
なお、両蓋部１１，１２はたとえば丸頭ビスのような固定ねじ１９により、筐体部１０に固定されている。この蓋部１１，１２の固定方法は、種々の変形例が考えられ、たとえば、筐体部１０を貫通させて一方の蓋部から他方の蓋部にねじ込むように固定してもよい。
竿取付部１３は、筐体部１０から上方に延びるＴ字形状の部材であり、先端に形成された前後に延びるリール脚１３ａが釣り竿にリールシート（図示せず）に装着可能である。なお、竿取付部１３は軽量化及び肉厚の均一化を図るために上面及び前面に肉盗み部１３ｂ，１３ｃがそれぞれ形成されている。
【００２１】
カバー部材１４は、第１及び第２蓋部１１，１２を装着した状態の筐体部１０を後方から側部及び底部を覆うように湾曲して形成されている。カバー部材１４は、第１及び第２蓋部１１，１２の後端部に形成された第１及び第２切欠き部１１ｂ，１２ｂを塞ぐととも、リール本体２の後端角部を含む側面及び後面の傷付きを防止するために設けられている。カバー部材１４は、ＡＢＳ樹脂等の比較的硬質の合成樹脂製であり、表面に金属めっきを施している。カバー部材１４は、前端側部の第１及び第２ねじ孔１１ｅ，１２ｅに対向する位置に段付きのねじ装着孔１４ａ，１４ｂが形成されている。このねじ装着孔１４ａ，１４ｂに第１及び第２ねじ孔１１ｆ，１２ｆにねじ込まれるねじ部材１４ｃが装着されカバー部材１４を両蓋部１１，１２に固定するとともにメンテナンス時にあけることができるようになっている。カバー部材１４は後端下面で筐体部１０の下面にねじ込まれる。ねじ部材１４ｄによっても固定されている。
【００２２】
このような構成のリール本体２では、第１蓋部１１が軽量でかつ比強度が高いアルミニウム合金製であるので、マスターギア７が近接して配置され比較的大きな力が作用しやすい第１蓋部１１の比強度を高く維持して軽量化を図ることができる。またマスターギア７から遠くあまり大きな力が作用しにくい第２蓋部１２は合成樹脂を採用したので軽量化を図ることができる。さらに、筐体部１０がマグネシウム合金製であるので、リール本体２全体として、比強度を維持して軽量化を図ることができる。
【００２３】
ロータ駆動機構５は、ハンドル１のハンドル軸１ａがねじ込み固定されるマスターギア軸８と、マスターギア軸８に一体形成されたマスターギア７と、マスターギア７と噛み合うピニオンギア９とを備えている。
マスターギア軸８は、リール本体２の両蓋部１１，１２に形成された第１及び第２ボス部１１ｃ，１２ｃに装着された軸受１５ａ，１５ｂによりリール本体２に回転自在に装着されている。マスターギア軸８の両端内周部には、雌ねじ部８ａ，８ｂがそれぞれ形成されている。雌ねじ部８ａ，８ｂは、ハンドル１を糸巻取方向に回転したときねじが締まる方向のねじである。したがって、図２左側の雌ねじ部８ａは左ねじであり、右側の雌ねじ部８ｂは右ねじである。なお、ハンドル１は、図１及び図３に示す左位置と図２に示す右位置とのマスターギア軸８の両端の何れにも装着可能である。しかし、雌ねじ部８ａ，８ｂのねじ方向が異なるため、ハンドル軸１ａを左右に取り付ける場合、それぞれ専用のものが用意されている。なお、図２には左ハンドル用のハンドル軸１ａが図示されている。
【００２４】
ピニオンギア９は、中空筒状の部材であり、前部がロータ３を貫通してロータ３を回転不能に装着している。ピニオンギア９の内周部には、スプール軸１６が貫通して配置されている。ピニオンギア９の前部にはナット１７が装着されており、ナット１７によりロータ３がピニオンギア９に固定されている。ピニオンギア９は、その軸方向の中間部と後端部とがそれぞれ軸受１８ａ，１８ｂによりリール本体２の筐体部１０に回転自在に支持されている。軸受１８ａは、機構支持部１０ｂに装着され、軸受１８ｂは、中間支持部１０ｄに装着されている。ピニオンギア９の後端側に形成されたギア部９ｂには、環状の切欠き部９ｃが形成されている。この環状の切欠き部９ｃは、後述する減速機構２０をコンパクトに配置するために設けられている。
【００２５】
オシレーティング機構６は、図２及び図３に示すようにピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ，２３ｂを有している。
減速機構２０は、図５に示すように、ピニオンギア９に噛み合う大径ギア２５ａ及び小径ギア２５ｂを有する段付きギア部２５と、小径ギア２５ｂに噛み合う第１中間ギア２６ａ及び第１中間ギア２６ａと間隔を隔てて配置された第２中間ギア２６ｂとを有する中間軸２６と、螺軸２１に回転不能に装着され第２中間ギア２６ｂに噛み合う従動ギア２７とを備えている。
【００２６】
段付きギア部２５は、ピニオンギア９と平行な軸回りに回転する。大径ギア２５ａは、ピニオンギア９に噛み合うねじギアである。小径ギア２５ｂ、第１中間ギア２６ａ、第２中間ギア２６ｂ及び従動ギア２７は、ともにねじギアであり、中間軸２６は、段付きギア部２５と食い違う軸回りに回転し、従動ギア２７が装着された螺軸２１は、中間軸２６と食い違いかつピニオンギア９と平行な軸回りに回転する。中間軸２６の第２中間ギア２６ｂは、ピニオンギア９の切欠き部９ｃの下方に配置されている。これにより、切欠き部を形成しない場合に比べて螺軸２１をピニオンギア９に近接して配置させることができ、リール全体のコンパクト化を図ることができる。このような構成の減速機構２０では、ピニオンギア９の回転が大きく減速されて螺軸２１に伝達される。
【００２７】
螺軸２１は、表面に交差する螺旋状の溝２１ａが形成された部材であり、スプール軸１６と平行に配置されている。螺軸２１は、筐体部１０の前後端にたとえば合成樹脂製の軸受を介して回転自在に装着されている。螺軸２１は、筐体部１０の後方から装着され、筐体部１０の後面にねじ止め固定された固定板５４により抜け止めされている。
【００２８】
スライダ２２は、内部に螺軸２１の溝２１ａに係合する係合部材２２ａが装着されている。スライダ２２は、スプール軸１６の後端部に回転不能かつ移動不能に連結されている。スライダ２２は、係合部材２２ａの先端が溝２１ａに係合することにより、螺軸２１の回転に応じてスプール軸方向に往復移動し、スプール軸１６をハンドル１の回転に連動して往復移動させる。
【００２９】
ガイド軸２３ａ，２３ｂはスライダ２２を貫通しており、スライダ２２をスプール軸１６に沿って案内する。ガイド軸２３ａは、筐体部１０の後端と中間支持部１０ｄとに両端が固定されている。ガイド軸２３ａは、筐体部１０の後方から装着されており、螺軸２１を抜け止めする固定板５４により後端が抜け止めされている。ガイド軸２３ｂは、筐体部１０の前後端に両端が固定されている。ガイド軸２３ｂは筐体部１０の前方から装着されている。ガイド軸２３ｂの前部には、第１蓋部１１の前部を固定する固定ねじ１９が接触可能であり、この固定ねじ１９により抜け止めされている。
【００３０】
ロータ３は、釣り糸案内部が一方のロータアームにのみ装着された、いわゆるベールレスタイプのものである。
ロータ３は、図３及び図６から図８に示すように、ピニオンギア９を介してリール本体２に回転自在に装着されたロータ本体３０と、ロータ本体３０に揺動自在に装着された釣り糸案内部３１とを有している。
【００３１】
ロータ本体３０は、たとえば表面に陽極酸化被膜が形成されたマグネシウム合金製であり、筒状の支持部３２と、支持部３２の後端部外周面の対向する位置から支持部３２と間隔を隔ててそれぞれ前方に僅かに先拡がりの状態で延びる第１及び第２ロータアーム３３，３４とを有している。
支持部３２は、後端から前方に向けてテーパ状に縮径した後に円筒状に形成された概ね筒状の部材である。支持部３２の前部には、前壁３２ａが形成されており、前壁３２ａの中央部にはピニオンギア９の前部が貫通するボス部３２ｂが形成されている。ボス部３２ｂは、ピニオンギア９の前部に回転不能に装着されている。前壁３２ａの前部でピニオンギア９の前部にはナット１７がねじ込まれており、このナット１７によりロータ３がピニオンギア９に固定されている。また、支持部３２の前部には、スプール軸１６への釣り糸の巻き付きを防止するための筒状の糸噛み防止部材３５が装着されている。
【００３２】
第１ロータアーム３３の先端には、釣り糸案内部３１が糸巻取姿勢と糸開放姿勢とに揺動自在に装着されている。第１ロータアーム３３の内部には、釣り糸案内部３１が糸開放姿勢にあるとき、ロータ３を２つの回転位相で規制するためのロータ回転規制機構４０が装着されている。第１ロータアーム３３の径方向外周側は第１カバー部材３６により覆われている。
【００３３】
第２ロータアーム３４は、第１ロータアーム３３と同様に前方に延びており、径方向外周側は、第２カバー部材３７により覆われている。第２ロータアーム３４は、ロータ３の回転バランスをとるために設けられたものである。このため、第２ロータアーム３４は、釣り糸案内部３１が装着された第１ロータアーム３３の重心位置に近づけるために重心位置を前方側に偏倚させている。重心位置を前方側に偏倚させるために、第２ロータアーム３４には基端側に開口部３４ａが形成されているとともに、先端側に重り部材３８を装着するための重り収納部３４ｂが形成されている。重り部材３８は、たとえばタングステン合金製である。また、第２ロータアーム３４は、重心を前方に偏倚させるために、図７及び図８から明らかなように、前方に延びる長さが第１ロータアーム３３より長くなっている。
【００３４】
ここで、図６に示すように、第１ロータアーム３３の釣り糸案内部３１の揺動軸芯を通る第１直線Ｌ１と第２ロータアーム３４の幅方向の中心を通りかつ第１直線Ｌ１と実質的に平行な第２直線Ｌ２とがロータ本体３０の回転軸芯Ｘを挟んで逆側に略同じ距離だけ離れて配置されるように、両ロータアーム３３，３４は形成されている。このように両ロータアーム３３，３４を配置すると、釣り糸案内部３１が回転軸芯Ｘに対して外側に大きく偏倚（図６では第１直線Ｌ１に対して外側に偏倚）して配置されていても、回転バランスをさらに良好に維持することができる。
【００３５】
糸噛み防止部材３５は、支持部３２の円筒部分と面一に形成された円筒状の噛み込み防止部３５ａと、噛み込み防止部３５ａの後端部に中心に向けて対向して設けられた１対の舌状の装着部３５ｂとを有している。噛み込み防止部３５ａの先端は他の部分より大径に形成されており、これにより、スプール４内部に侵入した釣り糸がロータ３内に入らないようにしている。また、噛み込み防止部３５ａの先端内周面には、回転バランス補正用の重り部材３９を収納するための重り収納部３５ｃが形成されている。重り部材３９も、たとえばタングステン合金製である。なお、重り収納部３５ｃは、図３では、開示の便宜のため第２ロータアーム３４に近接した位置に形成されているが、実際には、図６に示すように後述釣り糸案内部３１が揺動する方向で両ロータアーム３３，３４の中間位置に配置されている。このように重り収納部３５ｃを配置することにより、釣り糸案内部３１が第１直線Ｌ１より回転軸芯Ｘからさらに離れる方向に偏倚して配置されていても、釣り糸案内部３１に対して回転軸芯Ｘと逆側に配置された重り部材３９により回転バランスを補正することができる。
【００３６】
糸噛み防止部材３５は、装着部３５ｂの前面から装着された２本のねじ部材２９，２９により前壁３２ａに固定されている。なお、前壁３２ａの前面は糸噛み防止部材３５を装着した状態で、装着部３５ｂを含めて環状の平坦面となっている。装着部３５ｂを含めた平坦面を前壁３２ａの前面に形成するために、前壁３２ａには、舌状の装着部３５ｂが入り込む凹部３２ｃが形成されている。これにより、スプール４側から異物が入り込んで付着しても、スプール４を外せば異物をふき取りなどして除去しやすい構造となっている。
【００３７】
釣り糸案内部３１は、釣り竿からスプール４に釣り糸をスムーズに案内してスプール４に釣り糸を巻き付けるために設けられている。このため、図６に示すように、釣り糸案内部３１は、スプール４の糸巻き胴部４ａ（後述）の外周面に釣り糸を案内しやすいようにロータの回転軸芯Ｘから外方（図６左方）に大きく偏倚して配置されている。釣り糸案内部３１は、図６〜図９に示すように、第１ロータアーム３３の先端に装着された支持部材４１と、支持部材４１の先端に基端が固定された固定軸４２と、固定軸４２に回転自在に装着され釣り糸を案内可能なラインローラ４３と、固定軸４２の先端に設けられた固定軸カバー４４と、固定軸カバー４４の先端に設けられ釣り糸を係止する釣り糸係止部４５とを有している。
【００３８】
支持部材４１は、先端に糸巻取姿勢と糸開放姿勢とに揺動自在に装着されている。固定軸４２は、支持部材４１の先端に基端が回転不能に係止され、取付ボルト４２ａにより支持部材４１に固定される。固定軸４２は、図６に示すように、支持部材４１の揺動面Ｆ（図１）に対して先端がスプール４に向かって傾斜している、スプール４に向けて先端が僅かに傾斜している。固定軸４２の外周には、ラインローラ４３が１対の軸受４６を介して回転自在に装着されている。ラインローラ４３は、外周面に釣り糸を案内する環状の案内溝４７が形成されており、糸ヨレが生じにくいようになっている。また、ラインローラ４３の外周面の両端は、支持部材４１及び固定軸カバー４４により覆われている。
【００３９】
固定軸カバー４４は、固定軸４２と一体形成された、たとえばステンレス合金製の部材である。固定軸カバー４４は固定軸４２の先端側に設けられ、頂点４４ｂが固定軸４２の先端４２ａより後方（図９下方）に向けて偏芯し、かつリール本体２側（図９下側）に釣り糸案内面４６ｃが設けられた略円錐形状の部材である。固定軸カバー４４の後面側の稜線近傍の図７にハッチングで示す領域がラインローラ４３に釣り糸を案内する釣り糸案内面４４ｃとなっている。固定軸カバー４４は、ロータ３を前方から見て、図６に示すように、固定軸４２と同芯に先端がスプール４に向かって傾斜して延びている。釣り糸案内部３１が糸巻取姿勢にあるとき、釣り糸案内面４６ｃは固定軸４２の先端側から釣り糸係止部４５側に向けて徐々にリール本体２との距離が短くなるように設けられている。固定軸カバー４４の前面には、他の部分より凹んだつまみ凹部４４ａが形成されている。このようなつまみ凹部４４ａを設けると釣り糸案内部３１を糸巻取姿勢から糸開放姿勢に戻す際に便利である。釣り糸係止部４５は、頂点４４ｂの手前側で稜線と滑らかにと滑らかに連続して頂点４４ｂから突出し先端が他の部分より太く形成されている。釣り糸係止部４５の先端は球状に丸められている。
【００４０】
このような構成の釣り糸案内部３１は、釣り糸係止部４５の先端が他の部分より太いので一度釣り糸が釣り糸係止部４５に係止されると外れにくくなる。また、釣り糸係止部４５及び固定軸カバー４４の頂点４４ｂが後方に傾いているので、釣り糸係止部４５に係止された釣り糸が釣り糸案内面４６ｃによりラインローラ４３の案内溝４７に確実に案内される。
【００４１】
ロータ３は、図３に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の操作支持部１０ｃ及び中間支持部１０ｄに揺動自在に支持されており、後端が筐体部１０から後方に突出している。このため、ロータ３の逆転禁止・解除操作をリール本体２の後部で操作可能である。
【００４２】
ロータ回転規制機構４０は、図１０及び図１１に示すように、第１ロータアーム３３と第１カバー部材３６との間の空間に配置されている。ロータ回転規制機構４０は、連動機構６１と、連動機構６１に接触する回転規制部６１とを備えている。連動機構６１は、第１ロータアーム３３に設けられ釣り糸案内部３１の揺動に連動して糸巻取姿勢に対応する第１位置と糸開放姿勢に対応し第１位置よりリール本体２に近接した第２位置との間で移動する。また、回転規制部６２は、リール本体２に設けられ、連動機構６１が第２位置に配置されたとき連動機構６１にロータ３の２箇所の回転位相で接触してロータ３の糸巻取方向の回転を規制する。
【００４３】
連動機構６１は、第１ロータアーム３３と第１カバー部材３６とに揺動自在に装着された第１トグルばね機構６３と、第１ロータアーム３３の後端面に揺動自在に装着された揺動レバー６４と、揺動レバー６４を保持する第２トグルばね機構６５とを有している。
第１トグルばね機構６３は、釣り糸案内部３１が糸巻取姿勢となる第１位置と糸開放姿勢となる第２位置とを取り得るように第１ロータアーム３３内に配置され、釣り糸案内部３１を糸巻取姿勢と糸開放姿勢とに保持するための機構である。第１トグルばね機構６３は、一端が支持部材４１に係止され、他端が第１ロータアーム３３に沿って延びる第１ロッド６５と、第１ロッド６５が進退自在に装着されるとともに第１ロータアーム３３に中間部が揺動自在に取り付けられた第１ガイド部材６６と、第１ロッド６５を進出側に付勢する第１コイルばね６７とを有している。
【００４４】
第１ロッド６５は、その先端部６５ａが外周側に折り曲げられ、支持部材４１に形成された係合穴４１ａに係止されている。また第１ロッド６５の外周面には、ばね係止用の突起部６５ｂが形成されている。
第１ガイド部材６６は前端が開口する有底角筒状の部材であり、第１ロータアーム３３及び外１カバー部材３６に形成された装着孔３３ａ，装着穴３６ａに係合する両外方に突出する揺動軸６６ａ，６６ｂを軸方向の中間部に有している。揺動軸６６ａ，６６ｂは、ロータ３の径方向に沿って配置されており、第１ガイド部材６６は、揺動軸６６ａ，６６ｂを中心に第１ロータアーム３６に揺動自在に取り付けられている。第１ガイド部材６６の後端部（図１０右端部）には、揺動レバー６４が係合する係止突起６６ｃが後方に突出して形成されている。
【００４５】
揺動レバー６４は、第１ロータアーム３３の後面にねじ込まれた取付ボルト６８にブッシュ６９を介してロータ３の回転平面と平行な面内で揺動自在に取り付けられている。揺動レバー６４は、たとえばステンレス合金などの金属製の板状の部材である。揺動レバー６４は、第１トグルばね機構６３の第１ガイド部材６６の係止突起６６ｃを係止する係止用切欠き６４ａと、第２トグルばね機構６５係止用の孔６４ｂと、ロータ回転軸心側に突出可能な突出部６４ｃと、ブッシュ６９にはめ込まれる装着孔６４ｄとを有している。
【００４６】
係止用切欠き６４ａと第１ガイド部材６６の係止突起６６ｃとの間には隙間が形成されている。このように隙間が形成されているので、第１ガイド部材６６と揺動レバー６４との位置が切り換えられた際に両者による衝突音が発生する。これにより、釣り糸案内部３１の姿勢が切り換えられたことを操作者に確実に報知することができる。
【００４７】
第２トグルばね機構６５は、揺動レバー６４を第１位置と第２位置とに保持するための機構であり、揺動レバー６４を介して第１トグルばね機構６３を第１位置と第２位置とに保持している。第２トグルばね機構６５は、揺動レバー６４に係止された第２ガイド部材７１と、第２ガイド部材７１に一端が収納され他端がロータ３に揺動自在に取り付けられた第２ロッド７２と、第２ガイド部材７１を揺動レバー６４側に付勢する第２コイルばね７３とを有している。なお、第２ガイド部材７１及び第２コイルばね７３は、ロータ回転平面と平行な面内で移動する。
【００４８】
このような揺動レバー６４及び第２トグルばね機構６５の構成では、第２ガイド部材７１及び第２コイルばね７３によって、揺動レバー６４は図１１に二点鎖線で示す第１位置と実線で示す第２位置とをとり得る。第１位置は第１トグルばね機構５３の第１位置及び釣り糸案内部３１の糸巻取姿勢に対応し、第２位置は第１トグルばね機構６３の第２位置及び釣り糸案内部３１の糸開放姿勢に対応している。
【００４９】
回転規制部６２は、第１及び第２蓋部１１，１２の第１及び第２フランジ部１１ｄ，１２ｄの前面とに筐体部１０を挟んで回転方向に間隔を隔てて配置された２つの規制突起６２ａ，６２ｂを有している。ここで規制突起６２ａは右手で釣り竿を持ったときに使用される突起であり、規制突起６２ｂが左手で釣り竿を持ったときに使用される突起である。各規制突起６２ａ，６２ｂは、矢印Ａで示すロータ３の糸巻取方向の上流側が径方向に向いた規制壁６２ｃ，６２ｄとなっている。また下流側の壁面６２ｅ，６２ｆは径方向に対して傾斜しており、ロータ３が糸繰り出し方向に回転するときには揺動レバー６４が接触しても各規制突起６２ａ，６２ｂを乗り越えることができるようになっている。
【００５０】
ロータ回転規制機構４０では、規制突起６２ａ，６２ｂの規制壁６２ｃ，６２ｄに揺動レバー６４の突出部６４ｃが接触すると、ロータ３はそれ以上糸巻取方向に回転できなくなり、ロータ３の糸巻取方向の回転が規制される。この状態で、逆転防止機構５０によりロータ３の糸繰り出し方向の回転が禁止されていれば、ロータ３は、規制突起６２ａ，６２ｂのいずれかにより回転位相が位置決めされる。したがって、キャスティング時にロータ３に慣性力が作用してもロータ３が回転しにくくなる。このため、キャスティング前に２つの規制突起６２ａ，６２ｂのいずれかに接触する回転位相にロータ３を位置決めすると、キャスティング後に釣り糸を釣り糸案内部に容易に引っ掛けることができる。
【００５１】
なお、第１トグルばね機構６３の死点は、各規制突起６２ａ，６２ｂの壁面６２ｅ，６２ｆに揺動レバー６４が乗り上げて第１ガイド部材６６が揺動しても、支持部材４１が糸開放姿勢側に付勢されるように設定されている。このような位置に死点を設定すると、ハンドル１を回しても釣り糸案内部は糸開放姿勢から糸巻取姿勢に戻れないが、キャスティング時に釣り糸案内部がさらに糸巻取姿勢に戻りにくくなる。
【００５２】
スプール４は、スプール軸１６に対して複数の回転位相で装着可能であり、仕掛けの垂らし長さを変更可能になっている。スプール４は、図３に示すように、浅溝形のものであり、外周に釣り糸が巻き付けられる糸巻き胴部４ａと、糸巻き胴部４ａの後端部に糸巻き胴部４ａより大径に形成された筒状のスカート部４ｂと、糸巻き胴部４ａの先端部に糸巻き胴部４ａより僅かに大径に形成された前フランジ部４ｃとを備えている。
【００５３】
糸巻き胴部４ａは、スプール軸１６に対して回転不能であり、ロータ３の支持部３２及び糸噛み防止部材３５の外周側に配置されている。糸巻き胴部４ａは、先端側内周に一体形成された前壁部４ｄと、前壁部４ｄの内周側に後方に突出して一体形成されたボス部４ｅとを有している。前壁部４ｄには、軽量化を図るために多数の透孔４ｇが形成されている。
【００５４】
スカート部４ｂには、図１に示すように、軽量化を図るために内径が異なる多数の透孔４ｆが形成されている。前フランジ部４ｃには、糸巻き胴部４ａの外周面から僅かに前方に拡径するテーパ状の外周面を有している。これによりキャスティング時に釣り糸に作用する放出抵抗が大きく減少する。
次にスピニングリールの動作について説明する。
【００５５】
なお、動作の説明では右手でキャスティングする場合を説明する。キャスティングの際には、釣り糸案内部３１を糸巻取姿勢にして釣り糸を釣り糸案内部３１に引っ掛けた状態にして仕掛けの垂らし長さを調整する。また、釣り糸案内部３１を釣り糸をつかみやすい所望の回転位相にセットする。
具体的には、まず、逆転防止機構５０を逆転禁止状態にしてハンドル１を糸巻取方向に回してスプール４をストロークの最先端近くに配置する。この状態で釣り糸案内部３１が所望の回転位相より僅かに回転方向上流側に配置されるようにする。この所望の回転位相とは釣り糸案内部３１の操作のしやすさや釣り糸のつまみやすさを考慮し、たとえば、右手でキャスティングするときには釣り糸案内部３１を釣り竿側から見てスプール４の左側に配置すると釣り糸案内部３１を左手で操作しやすい。
【００５６】
そして、所望の回転位相の上流側にセットした状態で左手（釣り竿を持つ手の逆の手）の指先で釣り糸案内部３１の固定軸カバー４４をつまんで釣り糸案内部３１を糸開放姿勢に揺動させる。このとき、固定軸カバー４４につまみ凹部４４ａが形成されているので、固定軸カバー４４をつまみやすくなり、釣り糸案内部３１をつまんで簡単に揺動させることができる。これと同時に、スプール４に巻き付けられた釣り糸を、左手でつまんで釣り竿を右手の人差し指でひっかける。
【００５７】
釣り糸案内部３１を糸開放姿勢に揺動させると、揺動レバー６４が図１１に示す第２位置に配置される。そして、ハンドル１を回してロータ３を僅かに糸巻取方向に回転させると、第２位置に配置された揺動レバー６４の突出部６４ｃが突起部６２ａの規制壁６４ｃに接触して釣り糸案内部３１が所望の回転位相に配置される。このとき、逆転防止機構５０によりロータの糸繰り出し方向の回転が禁止されているので、ロータ３は両方向に回転できなくなり、所望の回転位相で位置決めされる。この状態でキャスティングを行う。
【００５８】
ここでは、回転規制機構４０と逆転防止機構とによりロータ３が所望の回転位相で位置決めされているので、キャスティング時にロータ３に慣性力が作用してもロータ３が回転しにくくなる。このため、キャスティング後に所望の回転位相からずれにくくなる。
キャスティングが終わると、所望の回転位相に位置決めされた釣り糸案内部３１を左手で糸開放姿勢から糸巻取姿勢に戻す。これにより、揺動レバー６４の突出部６４ｃは規制突起６２ａ，６２ｂより径方向外方の第１位置に配置され、ロータ３は糸巻取方向に回転可能になる。この状態で釣り糸を左手でつまんで釣り糸案内部３１の釣り糸係止部４５に係止する。釣り糸係止部４５に係止された釣り糸は、固定軸カバー４４の釣り糸案内面４４ｃを通ってラインローラ４３の案内溝４７に案内される。この状態でハンドル１を糸巻取方向に僅かに回転させて釣り糸にわずかにテンションをかけて置き竿する。
【００５９】
この釣り糸を引っ掛けるときに、釣り糸係止部４５の先端を他の部分より太くしたので、釣り糸係止部４５に係止された釣り糸が太い先端から外れにくくなり、他の部材により釣り糸の外れ防止を行う必要がなくなる。このため、釣り糸を釣り糸係止部４５に引っ掛けやすくなるとともに簡素な構成で釣り糸の脱落を防止できる。また、固定軸カバー４４を頂点４４ｂが後方に向けて偏芯した略円錐形状に形成したので、釣り糸案内面４４ｃの先端側を稜線に連続する基端側よりリール本体２側に近づけやすくなり、釣り糸案内面４４ｃに案内された釣り糸はラインローラ４３に案内される。このため、釣り糸係止部４５に釣り糸を引っ掛けるだけで釣り糸案内面４４ｃを経て釣り糸をラインローラ４３に案内しやすくなるとともに案内された釣り糸が案内面４４ｂから脱落しにくくなる。したがって、釣り糸を引っ掛けやすくかつ簡素な構成でラインローラからの釣り糸の脱落を防止できるようになる。
【００６０】
仕掛けに獲物がかかってハンドル１を回すとロータ３が糸巻取方向に回転するとともにスプール４が前後移動する。同時に、ハンドル１の回転はマスターギア軸８を介してマスターギア７に伝達され、ピニオンギア９を介してロータ３が回転する。また、ピニオンギア９から減速機構２０を介してオシレーティング機構６が動作してスプール４が前後移動する。
【００６１】
このとき、第１及び第２ロータアーム３３，３４が回転軸芯Ｘを挟んで逆側に配置されているので、釣り糸案内部３１が回転軸芯Ｘに対して外側に偏倚して配置されていても、回転バランスをさらに良好に維持することができる。しかも、第２ロータアーム３４や糸噛み防止部材３５にもバランス補正用の重り部材３８，３９が装着されているので、回転バランスがさらに正確に補正されている。このようにロータ３の回転バランスが補正されているので、キャスティング時にロータ３に慣性力が作用してもロータ３が回転しにくくなる。
【００６２】
〔他の実施形態〕
（ａ）前記実施形態では、移動部材としてロータアームの後面に配置された揺動レバーを例示したが、移動部材は揺動レバーに限定されない。たとえば、移動部材をロータアームに前後移動自在に装着し、後方に移動した第２位置で移動部材の後端部がリール本体に設けられた回転規制部に接触するように構成してもよい。
【００６３】
（ｂ）前記実施形態では、回転規制部をリール本体と一体形成した規制突起により構成したが、回転規制部は突起部に限定されず、凹部でもよい。また、リール本体と別部材の弾性突起を所定の回転位相に対応して設けて移動部材と接触させるようにしてもよい。この場合、移動部材が弾性突起に弾性的に接触することにより、逆転防止機構を用いることなくロータ３の両方向の回転を規制できる。
【００６４】
（ｃ）前記実施形態では、右手で釣り竿を持つ場合を例に動作を説明したが、左手で釣り竿を持つ場合には、規制突起６２ｂの回転方向上流側が所望の回転位相となる。
【００６５】
【発明の効果】
本発明によれば、糸開放姿勢に対応する第２位置に移動した連動機構が複数の回転位相で回転規制部に接触することによりロータの少なくとも一方向の回転を規制しているので、ロータを複数の回転位相のいずれかに配置すればキャスティング時のロータの回転を可及的に抑えることができる。
【図面の簡単な説明】
【図１】本発明の一実施形態を採用したスピニングリールの側面図。
【図２】そのスピニングリールの背面断面図。
【図３】そのスピニングリールの側面断面図。
【図４】リール本体の分解斜視図。
【図５】減速機構の斜視図。
【図６】ロータの正面図。
【図７】ロータの右側面図。
【図８】ロータの左側面図。
【図９】固定軸カバーの断面図。
【図１０】ロータ回転機構機構の構成を示す第１ロータアーム断面拡大図。
【図１１】ロータ回転機構の構成を示すリール本体前部の断面図。
【符号の説明】
２  リール本体
３  ロータ
３１  釣り糸案内部
３３  第１ロータアーム
４０  ロータ回転規制機構
４１  支持部材
４３  ラインローラ
５０  逆転防止機構
６１  連動機構
６２  回転規制部
６２ａ，６２ｂ  規制突起
６３  第１トグルばね機構
６４  揺動レバー
【図１】
2004236563.tif 000003
【図２】
2004236563.tif 000004
【図３】
2004236563.tif 000005
【図４】
2004236563.tif 000006
【図５】
2004236563.tif 000007
【図６】
2004236563.tif 000008
【図７】
2004236563.tif 000009
【図８】
2004236563.tif 000010
【図９】
2004236563.tif 000011
【図１０】
2004236563.tif 000012
【図１１】
2004236563.tif 000013